(57)【要約】【課題】停止させるために必要な物を回転させる力の低減を図ることが可能な一方向性ストッパーを提供する。【解決手段】本発明に係るストッパーは、回転運動をする物と連動して回動する回動部材１０と、回動部材１０に形成される第一支持部１１と、第一支持部１１に支持されることによって回動部材１０から突出する第一部材１２と、回動部材１０に接して配置される第二部材１３と、第二部材１３が径方向に移動し得るように第二部材１３を保持する保持部材１４と、第二部材１３に弾性力を与える第一弾性部材１５とを具備し、回動部材１０が、回動部材１０を一方向に回転させる時にのみ第一部材１２を径方向に移動可能に支持する第二支持部１６を有することを特徴とする。【選択図】図１
2015055266.tif 000002
【特許請求の範囲】
【請求項１】
回転運動をする物と連動して回動する回動部材と、該回動部材に形成される第一支持部と、該第一支持部に支持されることによって前記回動部材から突出する第一部材と、前記回動部材に接して配置される第二部材と、該第二部材が径方向に移動し得るように前記第二部材を保持する保持部材と、前記第二部材に弾性力を与える第一弾性部材とを具備し、前記回動部材が、該回動部材を一方向に回転させる時にのみ前記第一部材を径方向に移動可能に支持する第二支持部を有することを特徴とするストッパー。
【請求項２】
前記第二支持部が、前記第一支持部に隣接して配置される可動部材と、該可動部材に前記第一弾性部材の弾性力より弱い弾性力を与える第二弾性部材とを具備することを特徴とする請求項１に記載のストッパー。
【請求項３】
前記可動部材が、前記第一部材を前記第一支持部に誘導する案内手段を有することを特徴とする請求項２に記載のストッパー。
【請求項４】
前記案内手段が、前記可動部材の中心線上に頂点を有する断面形状が円弧又はテーパーである頭部端面であることを特徴とする請求項３に記載のストッパー。
【発明の詳細な説明】
【技術分野】
【０００１】
本発明は、回転運動をする物の逆転を防止し、且つその停止状態を維持し得るストッパーに関し、特に、停止させるために必要な物を回転させる力の低減を図ることが可能な一方向性ストッパーに関する。
【背景技術】
【０００２】
従来、回転運動をする物の逆転を防止し、且つその停止状態を維持し得るストッパーが知られている。
【０００３】
例えば、特許第２７３９１６４号公報に記載されたストッパーは、回転運動をする物（１）と連動して回動する回動部材（１４）と、回動部材（１４）に形成される支持部（２４）と、支持部（２４）に支持されることによって回動部材（１４）から突出する第一部材（２６）と、回動部材（１４）に接して配置される第二部材（３４）と、第二部材（３４）が径方向に移動し得るように第二部材（３４）を保持する保持部材（３０）と、第二部材（３４）に弾性力を与える弾性部材（４０）とを具備し、回動部材（１４）の停止位置に於いて第一部材（２６）を第二部材（３４）に接触させることによって、回転運動をする物（１）の逆転を防止し、且つその停止状態を維持し得るように構成されている。
【０００４】
しかしながら、従来のストッパーは、第一部材を回動部材の停止位置に配置する直前に、第一部材が第二部材を押し退けるという動作が必要である。そして、この直前動作を実行するには、第二部材が弾性部材の弾性力に抗して後退するように、相当な力で回動部材を回転させなければならない。
【０００５】
回転運動をする物が、例えばトイレの便座のように、自重の軽い物である場合は、停止状態を維持するために必要な弾性部材の弾性力が弱い為、比較的弱い力で物を回転させれば、直前動作を実行することができる。従って、この場合の使用者の負担は軽度である。
【０００６】
しかしながら、回転運動をする物が、例えば自動車のテールゲートのように、自重の重い物である場合は、停止状態を維持するために必要な弾性部材の弾性力が強い為、物を回転させる力が弱ければ、直前動作を実行することができない。従って、この場合には、直前動作を実行するために相当な強い力で物を回転させる必要がある。この場合の使用者の負担は重度である為、これを軽減させることが望まれていた。
【先行技術文献】
【特許文献】
【０００７】
【特許文献１】特許第２７３９１６４号公報
【発明の概要】
【発明が解決しようとする課題】
【０００８】
本発明が解決しようとする課題は、停止させるために必要な物を回転させる力の低減を図ることが可能な一方向性ストッパーを提供することである。
【０００９】
上記課題を解決するため、本発明は、以下のストッパーを提供する。
１．回転運動をする物と連動して回動する回動部材と、該回動部材に形成される第一支持部と、該第一支持部に支持されることによって前記回動部材から突出する第一部材と、前記回動部材に接して配置される第二部材と、該第二部材が径方向に移動し得るように前記第二部材を保持する保持部材と、前記第二部材に弾性力を与える第一弾性部材とを具備し、前記回動部材が、該回動部材を一方向に回転させる時にのみ前記第一部材を径方向に移動可能に支持する第二支持部を有することを特徴とするストッパー。
２．前記第二支持部が前記第一支持部に隣接して配置される可動部材と、該可動部材に前記第一弾性部材の弾性力より弱い弾性力を与える第二弾性部材とを具備することを特徴とする前記１に記載のストッパー。
３．前記可動部材が、前記第一部材を前記第一支持部に誘導する案内手段を有することを特徴とする前記２に記載のストッパー。
４．前記案内手段が、前記可動部材の中心線上に頂点を有する断面形状が円弧又はテーパーである頭部端面であることを特徴とする前記３に記載のストッパー。
【発明の効果】
【００１０】
本発明によれば、回動部材が該回動部材を一方向に回転させる時にのみ第一部材を径方向に移動可能に支持する第二支持部を有する為、停止させるために必要な物を回転させる力の低減を図ることが可能になる。
【図面の簡単な説明】
【００１１】
【図１】図１は、本発明の実施例を示す断面図である。
【図２】図２は、本発明の実施例で採用した案内手段を示す断面図である。
【図３】図３は、案内手段の他の例を示す断面図である。
【図４】図４は、本発明の実施例の動作を説明するための図である。
【図５】図５は、本発明の実施例の動作を説明するための図である。
【図６】図６は、本発明の実施例の動作を説明するための図である。
【図７】図７は、本発明の実施例の動作を説明するための図である。
【発明を実施するための形態】
【００１２】
以下、本発明の実施の形態を実施例に基づいて具体的に説明するが、本発明の技術的範囲は以下の説明の内容に限定されるものではない。
【実施例】
【００１３】
図１は、本発明の実施例を示す断面図である。この図に示したように、本実施例に係るストッパーは、回動部材１０、第一支持部１１、第一部材１２、第二部材１３、保持部材１４、第一弾性部材１５及び第二支持部１６を有して構成される。
【００１４】
回動部材１０は、回転運動をする物と連動して回動する部材である。
【００１５】
回転運動をする物は、ストッパーの制御対象になる物である。建物やその内部の部屋の出入口に取り付けられるドア、家具等に取り付けられる扉、トイレの便座や便蓋、自動車の座席やテールゲートなど、ストッパーの制御対象になる回転運動をする物には、多種多様な物が含まれる。
【００１６】
回動部材１０は、一方向だけでなく、逆方向にも回転する部材である。本実施例で採用した回動部材１０は、円柱状の軸である。この回動部材１０は、回転中心に穴１７を有し、該穴１７に回転運動をする物に設けられた軸が結合されることによって、回転運動をする物と連動して回動するように構成されている。
【００１７】
第一支持部１１は、回動部材１０に形成される。第一支持部１１は、第一部材１２が回動部材１０から突出するように第一部材１２を支持する役割を果たすものである。本実施例で採用した第一支持部１１は、第一部材１２の外周面と合致する曲面１８で構成されている。この第一支持部１１は、第一部材１２と面接触する為、第一部材１２と点接触又は線接触する支持部と比較して、耐荷重性、耐摩耗性及び耐久性の点で優れている。
【００１８】
第一部材１２は、第一支持部１１に支持されることによって回動部材１０から突出して配置される。本実施例で採用した第一部材１２は、平行ピンである。
【００１９】
第二部材１３は、第一弾性部材１５の弾性力が与えられることによって回動部材１０に接して配置される。本実施例で採用した第二部材１３は、平行ピンである。
【００２０】
第一部材１２及び第二部材１３の断面形状は、両者の離脱動作が円滑に行われるように円形であることが好ましい。
【００２１】
第一部材１２若しくは第二部材１３又は両方が鋼球のような球状のものであっても良い。しかしながら、本実施例のように円柱状のもの同士が接触し合う構成は、両者が線接触することになる為、両者が点接触する場合と比較して、耐摩耗性及び耐久性の点で優れている。
【００２２】
保持部材１４は、第二部材１３が径方向に移動し得るように第二部材１３を保持する役割を果たすものである。本実施例で採用した保持部材１４は、筒状に形成され、周壁を径方向に貫通する穴１９を有する。第二部材１３は、この穴１９の中に挿入されている。
【００２３】
本実施例に係るストッパーは、保持部材１４の内側で回動部材１０が回動する構成であるが、例えば、軸状の保持部材の外側で環状の回動部材が回動する構成であっても良い。
【００２４】
第一弾性部材１５は、第二部材１３に弾性力を与える弾性体である。本実施例で採用した第一弾性部材１５は、環状板ばねである。この第一弾性部材１５は、保持部材１４の外側に配置され、内向きの弾性力を発生して、第二部材１３を回動部材１０に押し付けている。
【００２５】
第一弾性部材１５としては、コイルばねを採用しても良く、また、ばねに代えてゴムを採用することも可能である。
【００２６】
第二支持部１６は、回動部材１０に設けられ、回動部材１０を一方向に回転させる時にのみ第一部材１２を径方向に移動可能に支持する役割を果たすものである。本実施例で採用した第二支持部１６は、可動部材２０と第二弾性部材２１とを具備して構成される。
【００２７】
可動部材２０は、回動部材１０に設けられた径方向に延びる穴２２の中で移動し得るように、穴２２の中に挿入されている。穴２２は、第一支持部１１に隣接した位置に形成されており、従って、可動部材２０は、第一支持部１１に隣接して配置されている。
【００２８】
第二弾性部材２１は、第二部材１３に弾性力を与える弾性体である。本実施例で採用した第二弾性部材２１は、コイルばねである。この第二弾性部材２１は、穴２２の底と可動部材２０との間に配置され、外向きの弾性力を発生して、可動部材２０を支持し、且つ可動部材２０を介して第一部材１２に弾性力を与える。
【００２９】
第二弾性部材２１としては、コイルばね以外のばねを採用しても良く、また、ばねに代えてゴムを採用することも可能である。
【００３０】
第二弾性部材２１の弾性力は、第一弾性部材１５の弾性力より弱く設定される。従って、可動部材２０を介して第二弾性部材２１の弾性力が与えられた第一部材１２が第一弾性部材１５の弾性力に抗して第二部材１３を移動させることはできない。しかしながら、第一弾性部材１５の弾性力が与えられた第二部材１３は、第二弾性部材２１の弾性力に抗して第一部材１２を移動させることができる。
【００３１】
本発明は、この原理を利用して、回動部材１０を一方向に回転させる時にのみ第二支持部１６に支持された第一部材１２が径方向に移動し得るように構成している。
【００３２】
一方、第一支持部１１に支持されるべき第一部材１２が何らかの原因で第二支持部１６に支持されている場合、回動部材１０を停止させることができない等の誤動作が発生する。また、回動部材１０が回動する時などに、第一部材１２が第一支持部１１と第二支持部１６との間で行き来し、不安定な状態に置かれる事は、異音を発生させる原因となる為、好ましくない。本実施例で採用した可動部材２０は、そのような問題を解消するため、案内手段２３を有して構成されている。
【００３３】
案内手段２３は、第一部材１２を第一支持部１１に誘導する役割を果たすものである。本実施例で採用した案内手段２３は、可動部材２０の中心線Ａの上に頂点Ｂを有する断面が円弧状の可動部材２０の頭部２４の端面２５である（図２参照）。
【００３４】
この案内手段２３によれば、荷重が除去された第一部材１２を常に第一支持部１１で支持させることが可能になる。即ち、可動部材２０と保持部材１４との間に存する第一部材１２に第二弾性部材２１の弾性力が作用すると、第一部材１２は、頭部２４の端面２５の独特な形状に沿って第一支持部１１まで移動することになる。一方、第一支持部１１に支持された第一部材１２は、第二部材１３から荷重を受けない限り、第二支持部１６まで容易に移動できなくなる。
【００３５】
案内手段２３としては、可動部材２０の中心線Ａの上に頂点Ｂを有する断面がテーパー状の可動部材２０の頭部２４の端面２５であっても良い（図３参照）。この案内手段２３も、上記した案内手段２３と同様な機能を有する。
【００３６】
上記のように構成されるストッパーは、回転運動をする物（図示せず）を一方向に回転させると、これに連動して回動部材１０が図１において時計回り方向に回転する。この時、第一部材１２は、案内手段２３によって第一支持部１１に安定した状態で支持されながら時計回り方向に移動する。
【００３７】
回動部材１０が時計回り方向に回転し続けると、第一部材１２は、図４に示したように、第二部材１３に接触する。
【００３８】
この状態から回動部材１０が更に回転すると、第一弾性部材１５の弾性力によって、第二部材１３が径方向に移動しない為、第一部材１２は、図５に示したように、第一支持部１１から第二支持部１６まで移動して可動部材２０の上に配置される。この時、第一部材１２は、第一部材１２に与えられる第二弾性部材２１の弾性力が第二部材１３に与えられた第一弾性部材１５の弾性力より弱い為、回転運動をする物を回転させる力を以前より強くしなくても、第二弾性部材２１の弾性力に抗して径方向に移動する。
【００３９】
この状態から回動部材１０が更に回転し、停止位置に到着すると、第一部材１２が第二部材１３から受ける荷重が除去される為、第一部材１２は、図６に示したように、案内手段２３によって可動部材２０の上から第一支持部１１に移動し、且つ第二部材１３に接触した状態になる。この時、第一部材１２は、第一支持部１１に支持されることによって径方向に移動できず、また、第二部材１３は、第一弾性部材１５の弾性力が与えられることによって回動部材１０に接して配置されている為、回転運動をする物の逆転（回動部材１０の反時計回り方向への回転）を防止でき、また、回転運動をする物の停止状態を維持することができる。
【００４０】
一方、上記のように構成されるストッパーは、回転運動をする物を逆方向に回転させた時は、回動部材１０に停止位置において第一部材１２が第二支持部１６に支持されることになる為、回転運動をする物の逆転（回動部材１０の時計回り方向への回転）を防止できず、また、回転運動をする物の停止状態を維持することもできない。
【００４１】
本発明のストッパーは、上記のように回動部材１０が該回動部材１０を一方向に回転させる時にのみ第一部材１２を径方向に移動可能に支持する第二支持部１６を有する為、一方向性である。しかしながら、そのような構成を有する為、第一部材１２を回動部材１０の停止位置に配置する直前に、第一部材１２が第二部材１３を押し退けるという動作が不要である。従って、回転運動をする物の自重が重い場合でも、弱い力で物を回転させれば、第一部材１２を回動部材１０の停止位置に配置することができる。よって、従来のストッパーに比べて、停止させるために必要な物を回転させる力の低減を図ることができる。
【００４２】
回転運動をする物の停止状態を解除する時は、回転運動をする物を逆方向に回転させ、回動部材１０を反時計回り方向（逆方向）に回転させる。この時は、第一部材１２が第一支持部１１に支持されているので径方向に移動しない。その為、回動部材１０の回転に伴う第一部材１２の移動によって第二部材１３が第一弾性部材１５の弾性力に抗して径方向に移動するように強い力で回転運動をする物を回転させる必要がある。
【００４３】
第一弾性部材１５は、第二部材１３が径方向に移動することによって外側に拡張するように変形する（図７参照）。
【００４４】
この状態から回動部材１０が更に回転すると、図４示したように、第一部材１２が第二部材１３を通過し、第二部材１３が第一弾性部材１５の弾性力によって押し戻され、回転運動をする物の停止状態が解除される。
【符号の説明】
【００４５】
１０  回動部材
１１  第一支持部
１２  第一部材
１３  第二部材
１４  保持部材
１５  第一弾性部材
１６  第二支持部
１７  穴
１８  曲面
１９  穴
２０  可動部材
２１  第二弾性部材
２２  穴
２３  案内手段
２４  頭部
２５  端面
【図１】
2015055266.tif 000003
【図２】
2015055266.tif 000004
【図３】
2015055266.tif 000005
【図４】
2015055266.tif 000006
【図５】
2015055266.tif 000007
【図６】
2015055266.tif 000008
【図７】
2015055266.tif 000009